(57)【要約】【課題】内陸側への水の浸入を防止し得る渡り橋を提供すること。【解決手段】渡り橋１０は、床板１２と、床板１２の両側端に設けられ、水の浸入を防止可能な側壁１３とを有し、一端部が岸壁１に直接または間接的に回動可能に設置され、他端部が浮桟橋６に載置される橋本体１１と、橋本体１１の一端部において、側壁１３および床板１２の外側を水密する水密部２５とを備えている。【選択図】図２
2019035189.tif 000002
【特許請求の範囲】
【請求項１】
床板と、該床板の両側端に設けられ、水の浸入を防止可能な側壁とを有し、一端部が岸壁に直接または間接的に回動可能に設置され、他端部が浮桟橋に載置される橋本体と、
前記橋本体の一端部において、前記側壁および前記床板の外側を水密する水密部とを備えている
ことを特徴とする渡り橋。
【請求項２】
請求項１に記載の渡り橋において、
前記水密部は、前記側壁に設けられる側部水密部と、前記床板に設けられる底部水密部とを有し、
前記側部水密部と接することにより水密が確保される水密用側壁と、前記底部水密部と接することにより水密が確保される水密用底壁とを備えている
ことを特徴とする渡り橋。
【請求項３】
請求項２に記載の渡り橋において、
前記岸壁には、前記浮桟橋側へ張り出すと共に、前記岸壁に沿って延びるデッキが設けられ、
前記橋本体の一端部は、前記デッキに設置され、
前記水密用側壁は、前記デッキを横切るように設けられ、該デッキに対応する位置に水密可能な開口を有している
ことを特徴とする渡り橋。
【発明の詳細な説明】
【技術分野】
【０００１】
本願は、浮桟橋用の渡り橋に関する。
【背景技術】
【０００２】
従来より、河川や海に設置される浮桟橋と岸壁との間に架け渡される渡り橋が知られている。例えば特許文献１に開示されている渡り橋は、床板と、床板の両側端に設けられた手摺とを備えている。床板の岸壁側端部には軸部が設けられ、床板の浮桟橋側端部はローラを介して浮桟橋に載置されている。浮桟橋は、河川や海の水位に応じて上下動する。渡り橋は、浮桟橋の上下動に伴い、軸部を中心に回動する。
【先行技術文献】
【特許文献】
【０００３】
【特許文献１】特開平８−１４４２１９号公報
【発明の概要】
【発明が解決しようとする課題】
【０００４】
ところで、岸壁には洪水氾濫や高潮氾濫を防止するために堤防が設けられる。このような堤防のある岸壁に上述した渡り橋を設けた場合、堤防には人が行き来するための開口が渡り橋に対応した位置に設けられる場合がある。しかしながら、この場合、洪水氾濫等が起こると、その開口から水が浸入してしまう。
【０００５】
本願に開示の技術は、かかる事情に鑑みてなされたものであり、その目的は、内陸側への水の浸入を防止し得る渡り橋を提供することにある。
【課題を解決するための手段】
【０００６】
本願の渡り橋は、橋本体と、水密部とを備えている。前記橋本体は、床板と、該床板の両側端に設けられ、水の浸入を防止可能な側壁とを有し、一端部が岸壁に直接または間接的に回動可能に設置され、他端部が浮桟橋に載置される。前記水密部は、前記橋本体の一端部において、前記側壁および前記床板の外側を水密する。
【発明の効果】
【０００７】
本願によれば、内陸側への水の浸入を防止し得る渡り橋を提供することができる。
【図面の簡単な説明】
【０００８】
【図１】図１は、実施形態に係る渡り橋の通常時の概略構成を側面側から視て示す図である。
【図２】図２は、実施形態に係る渡り橋の洪水時の概略構成を側面側から視て示す図である。
【図３】図３は、図２において岸壁側から視て示す正面図である。
【図４】図４は、実施形態の変形例に係る渡り橋の通常時を示す図１相当図である。
【図５】図５は、図４において浮桟橋側から視て示す断面図である。
【図６】図６は、その他の実施形態に係る渡り橋の通常時を示す図１相当図である。
【図７】図７は、その他の実施形態に係る渡り橋の通常時の概略構成を側面側から視て示す図である。
【発明を実施するための形態】
【０００９】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１０】
図１〜図３に示すように、本実施形態の渡り橋１０は、岸壁１と浮桟橋６との間に架け渡される浮桟橋用渡り橋である。岸壁１には、その岸壁１に沿って延びる堤防３が設けられている。堤防３は、岸壁１の端から所定距離だけ離れた位置に設けられている。堤防３には、人が行き来するための開口４が設けられている。浮桟橋６は、例えば河川において岸壁１から所定距離だけ離れた位置に設けられる浮体物であり、河川の水位Ｗに応じて上昇下降（上下動）する。
【００１１】
渡り橋１０は、橋本体１１と、水密用側壁２１と、水密用底壁２２と、水密部２５とを備えている。
【００１２】
橋本体１１は、床板１２と、２つの側壁１３とを備えている。床板１２は、岸壁１から浮桟橋６まで延びている。２つの側壁１３は、床板１２の両側端（幅方向両端）に設けられている。側壁１３は、外部から床板１２内への水の浸入を防止可能に構成されている。側壁１３は、床板１２の長手方向に亘って設けられている。
【００１３】
橋本体１１は、床板１２の岸壁１側の端部が回動中心部１４となっている。橋本体１１は、回動中心部１４を中心として回動可能に岸壁１に設置されている。回動中心部１４の位置は固定されている。床板１２の浮桟橋６側の端部には、ローラ１５が設けられている。ローラ１５は、浮桟橋６の上面に回転自在に接している。橋本体１１は、浮桟橋６側の端部が、浮桟橋６の上下動に伴い図１において左右方向に移動可能となっている。つまり、橋本体１１は、浮桟橋６が上昇すると、図１において反時計回りに回動し、浮桟橋６が下降すると、図１において時計回りに回動する。
【００１４】
水密用側壁２１は岸壁１に２つ設けられている。水密用側壁２１は、岸壁１の路面２から鉛直方向に延びる状態で設けられている。水密用側壁２１は、橋本体１１の両側方であって、開口４の幅方向両端（図３において左右方向両端）に1つずつ設けられている。水密用側壁２１は、片側の側面が堤防３と接して一体に設けられている。水密用側壁２１は、岸壁１の縁部から浮桟橋６側へ突出している。
【００１５】
岸壁１の縁部は、路面２よりも低い段差部２３となっており、その段差部２３に橋本体１１の岸壁１側の端部が設置されている。つまり、橋本体１１の回動中心部１４は段差部２３に位置している。そして、路面２から段差部２３へと段落ちする角部は、上述した水密用底壁２２を構成している。このように、橋本体１１では、岸壁１側の端部（一端部）が岸壁１に回動可能に設置され、浮桟橋６側の端部（他端部）が浮桟橋６に載置されている。
【００１６】
水密部２５は、橋本体１１に設けられている。水密部２５は、２つの側部水密部２６と、底部水密部２７とで構成されており、いわゆる三方水密方式である。側部水密部２６は、橋本体１１において２つの側壁１３に１つずつ設けられている。側部水密部２６は、側壁１３の岸壁１側の端部において概ね高さ方向に亘って設けられている。側部水密部２６は、水密用側壁２１と接することにより、側壁１３と水密用側壁２１との間の水密が確保される。底部水密部２７は、橋本体１１における床板１２と水密用底壁２２とに跨って設けられている。底部水密部２７は、床板１２の岸壁１側の端部において幅方向に亘って設けられている。こうして、底部水密部２７が水密用底壁２２と接して設けられることにより、床板１２と水密用底壁２２との間の水密が確保される。２つの側部水密部２６および底部水密部２７は、互いに繋がっており、連続した１つの水密ラインを構成している。これら側部水密部２６および底部水密部２７は、例えば水密ゴムで構成されている。
【００１７】
上述した渡り橋１０では、河川の水位Ｗが図１に示す通常水位から図２に示す洪水水位まで上昇すると、浮桟橋６が上昇し、それに伴って橋本体１１は反時計回りに回動する。橋本体１１が回動する際、側部水密部２６は水密用側壁２１に対して摺動し、底部水密部２７は床板１２と水密用底壁２２との間で屈曲する。つまり、常に水密部２５は水密用側壁２１および水密用底壁２２と接した状態にある。こうして、橋本体１１と水密用側壁２１および水密用底壁２２との間が水密されるので、河川の水が内陸側へ浸入することを防止できる。
【００１８】
また、図２に示すように、橋本体１１において側壁１３の一部が水に浸かった状態になるが、側壁１３によって床板１２内への水の浸入が防止される。そのため、水が橋本体１１の内部を通って開口４へ流れることを防止できるし、橋本体１１に居る人が水に濡れることも防止できる。
【００１９】
以上のように、上記実施形態の渡り橋１０は、橋本体１１と、水密部２５とを備えている。橋本体１１は、床板１２と、該床板１２の両側端に設けられ、水の浸入を防止可能な側壁１３とを有し、一端部（岸壁１側の端部）が岸壁に回動可能に設置され、他端部（浮桟橋６側の端部）が浮桟橋６に載置される。水密部２５は、橋本体１１の一端部において、側壁１３および床板１２の外側を水密する。この構成によれば、橋本体１１において側壁１３および床板１２の外周を水密することができる。そのため、河川の水が堤防３の開口４を通じて内陸側に浸入することを防止することができる。
【００２０】
したがって、上記実施形態の渡り橋１０によれば、堤防３の開口４を塞ぐための大掛かりな設備を用意する必要はないし、土嚢等を積んで開口４を塞ぐ手間も必要なくなる。
【００２１】
また、水密部２５は、側壁１３に設けられる側部水密部２６と、床板１２に設けられる底部水密部２７とを有している。また、渡り橋１０は、側部水密部２６と接することにより水密が確保される水密用側壁２１と、底部水密部２７と接することにより水密が確保される水密用底壁２２とを備えている。この構成によれば、簡易な構成で且つ容易に側壁１３および床板１２の外周を水密することができる。
【００２２】
（実施形態の変形例）
本変形例は、上記実施形態の渡り橋１０において、水密用側壁および水密用底壁の構成を変更したものである。また、本変形例は、橋本体１１の一端部がデッキ７を介して岸壁１に間接的に設置されるものである。ここでは、上記実施形態と異なる点について説明する。
【００２３】
図４および図５に示すように、本変形例において、岸壁１にはデッキ７が設けられている。デッキ７は、岸壁１の縁部から張り出した状態で設けられ、その張り出した端部が支柱８によって支持されている。岸壁１の路面２とデッキ７の上面とは互いに面一となっている。デッキ７は、岸壁１に沿って延び一定の距離設けられている。
【００２４】
デッキ７の上面には、２つの水密用側壁３１と、水密用底壁３２とが設けられている。水密用底壁３２は、端部の位置が、デッキ７の縁部（浮桟橋６側の端）から所定距離だけ内陸側へずれた位置となるようにデッキ７の上面に設けられている。橋本体１１の岸壁１側の端部は、デッキ７の端部の上面に設置されている。
【００２５】
２つの水密用側壁３１は、岸壁１とデッキ７とに跨って設けられ、岸壁１の路面２およびデッキ７の上面から鉛直方向に延びる状態で設けられている。つまり、水密用側壁３１は、デッキ７を横切るように設けられている。本変形例においても、水密用側壁３１は、橋本体１１の両側方であって、開口４の幅方向両端（図５において左右方向両端）に1つずつ設けられている。水密用側壁３１は、片側の側面が堤防３と接して一体に設けられている。水密用側壁３１は、デッキ７の縁部から浮桟橋６側へ突出している。橋本体１１では、岸壁１側の端部（一端部）がデッキ７に回動可能に設置され、浮桟橋６側の端部（他端部）が浮桟橋６に載置されている。
【００２６】
２つの水密用側壁３１には、デッキ７に対応する位置に開閉自在な開口３４が設けられている。開口３４は、デッキ７を通行する人が水密用側壁３１を通り抜けるためのものである。開口３４は、水密が確保されるように閉じられる。そのため、開口３４から水が浸入するのを防止することができる。
【００２７】
以上のように、上記変形例では、岸壁１には、浮桟橋６側へ張り出すと共に、岸壁１に沿って延びるデッキ７が設けられている。橋本体１１の一端部（デッキ７側の端部）は、デッキ７に設置されている。水密用側壁３１は、デッキ７を横切るように設けられ、デッキ７に対応する位置に水密可能な開口３４を有している。これにより、側壁１３の外側を水密しつつも、デッキ７を通行する人が水密用側壁３１を通り抜けることが可能になる。
【００２８】
なお、上記実施形態および変形例では、側壁１３が床板１２の長手方向全体に亘って設けるようにしたが、本願に開示の技術はこれに限らず、水位Ｗが上昇しても水に浸からない部分は他の部材で構成するようにしてもよい。例えば図６に示すように、上記実施形態の渡り橋１０の場合、水位Ｗが上昇しても水に浸からない領域Ｒについては水の浸入を防止できる側壁１３に代えてパイプ等で組んだ手摺で構成するようにしてもよい。
【００２９】
また、本願の渡り橋１０は、例えば図７に示すように、既設の渡り橋１００の上に設けるようにしてもよい。既設の渡り橋１００は、岸壁１と浮桟橋６との間に架け渡される板状のものである。既設の渡り橋１００は、岸壁１側の端部が回動中心部１０１となっており、浮桟橋６側の端部にローラ１０２が設けられている。岸壁１の縁部は、路面２よりも低い段差部１０３となっており、その段差部１０３に既設の渡り橋１００の岸壁１側の端部が回動可能に設置されている。既設の渡り橋１００の浮桟橋６側の端部は、浮桟橋６に載置されている。
【００３０】
本願の渡り橋１０は、上述のように設けられている既設の渡り橋１００の上方に設けられる。渡り橋１０の橋本体１１は、岸壁１側の端部が岸壁１の路面２に回動可能に設置され、浮桟橋６側の端部が既設の渡り橋１００の上面に載置される。橋本体１１のローラ１５は、既設の渡り橋１００の上面に回転自在に接している。つまり、橋本体１１の浮桟橋６側の端部は既設の渡り橋１００を介して浮桟橋６に載置される。この場合においても、２つの水密用側壁４１が上記実施形態と同様に岸壁１の路面２に設けられ、水密用底壁４２が上記変形例と同様に岸壁１の路面２に設けられる。水密用側壁４１および水密用底壁４２の機能は上記実施形態および変形例のものと同様である。
【００３１】
この形態では、浮桟橋６の上下動に伴い、既設の渡り橋１００が回動中心部１０１を中心として回動する。そして、既設の渡り橋１００の回動動作に伴い、橋本体１１が回動中心部１４を中心として回動する。その他の構成、作用および効果は上記実施形態と同様である。
【００３２】
また、上記実施形態では、路面２よりも低い段差部２３に橋本体１１の岸壁１側の端部（一端部）を設置するようにしたが、本願に開示の技術はこれに限らず、橋本体１１の岸壁１側の端部を路面２に設置するようにしてもよい。この場合、上記変形例と同様、水密用底壁が路面２に設けられる。
【産業上の利用可能性】
【００３３】
以上のように、本願に開示の技術は、浮桟橋用の渡り橋について有用である。
【符号の説明】
【００３４】
１        岸壁
６        浮桟橋
７        デッキ
１０      渡り橋
１１      橋本体
１２      床板
１３      側壁
２１，３１    水密用側壁
２２，３２    水密用底壁
２５      水密部
２６      側部水密部
２７      底部水密部
３４      開口
【図１】
2019035189.tif 000003
【図２】
2019035189.tif 000004
【図３】
2019035189.tif 000005
【図４】
2019035189.tif 000006
【図５】
2019035189.tif 000007
【図６】
2019035189.tif 000008
【図７】
2019035189.tif 000009